(57)【要約】【課題】記入者の影による支援機能の低下を生じることなく、自筆の支援を可能とする自筆支援装置を提供する。【解決手段】平面状の筆記面（１２）を有する筆記媒体（１０）の筆記面（１２）の上方に、その筆記面（１２）に表示させる像の鏡像画像を表示する平面状の画像表示面（３２）が位置するようにその画像表示面（３２）を有する画像担持体（３０）を支持する支持部材（４０）と、筆記面（１２）と画像表示面（３２）との間に配置される、上方からの光の少なくとも一部を反射し、一部を透過させるハーフミラー（２０）とを備えたものとし、画像表示面（３２）と筆記面（１２）とを、ハーフミラー（２０）の平面状のミラー面（２２）を挟んで等しい光学距離で配置する。【選択図】図２
2016121362.tif 000002
【特許請求の範囲】
【請求項１】
平面状の筆記面を有する筆記媒体の前記筆記面の上方に、該筆記面に表示させる像の鏡像画像を表示する平面状の画像表示面が位置するように該画像表示面を有する画像担持体を支持する支持部材と、
前記筆記面と前記画像表示面との間に配置される、上方からの光の少なくとも一部を反射し、一部を透過させるハーフミラーとを備え、
前記画像表示面と前記筆記面とが、前記ハーフミラーの平面状のミラー面を挟んで等しい光学距離で配置される自筆支援装置。
【請求項２】
前記筆記面、前記ミラー面および前記画像表示面が互いに平行に配置される請求項１記載の自筆支援装置。
【請求項３】
前記筆記面および前記画像表示面が、前記ミラー面に対して対称に傾きを持って配置される請求項１記載の自筆支援装置。
【請求項４】
前記筆記媒体を支持する支持台を備える請求項１から３のいずれか１項に記載の自筆支援装置。
【請求項５】
前記ハーフミラーの前記ミラー面における、可視域の光に対する反射率が４％以上、８５％以下である請求項１から４いずれか１項に記載の自筆支援装置。
【請求項６】
前記ハーフミラーの前記ミラー面の、可視域の特定の部分波長域の光に対する反射率が他の波長の光に対する反射率の５倍以上高い請求項１から５いずれか１項に記載の自筆支援装置。
【請求項７】
前記ハーフミラーの、前記ミラー面と対向する面が反射防止面である請求項１から６いずれか１項に記載の自筆支援装置。
【請求項８】
前記画像表示面と前記ミラー面との光学距離、および前記筆記面と前記ミラー面との光学距離を一致させるための位置調整用マークを備えた請求項１から７いずれか１項に記載の自筆支援装置。
【請求項９】
前記支持部材が、前記画像担持体を、該画像担持体の前記画像表示面を前記ハーフミラーに直接対向させて支持するものである請求項１から８いずれか１項に記載の自筆支援装置。
【請求項１０】
前記支持部材が透明支持板を備えており、該透明支持板の一面に、前記画像表示面が面するように前記画像担持体が載置される請求項１から８いずれか１項に記載の自筆支援装置。
【請求項１１】
前記画像表示面に照明光を照射して、該画像表示面の前記鏡像画像を前記ミラー面に映す光源を備えた請求項１から１０いずれか１項に記載の自筆支援装置。
【請求項１２】
前記画像担持体が、一面に前記鏡像画像が描かれたシートである請求項１から１１いずれか１項に記載の自筆支援装置。
【請求項１３】
前記画像担持体が、前記鏡像画像を表示するフラットパネルディスプレイである請求項１から１０いずれか１項に記載の自筆支援装置。
【発明の詳細な説明】
【技術分野】
【０００１】
本発明は、手書きで文字を書く際の列やバランスの崩れを防ぐためのガイドを行う自筆支援装置に関する。
【背景技術】
【０００２】
手書きする必要がある書類に対し、文字を書き込む際に、列やバランスが崩れてしまうのを防ぐため、プロジェクタを用いた手書き支援システムが非特許文献１に提案されている。
非特許文献１には、お手本となる文字をプロジェクタで紙に投影し、その投影した文字をなぞることによりバランスのとれた綺麗な文字を書くための支援システムが提案されている。具体的には、カメラで文字を記入する対象を撮影し、その画像を使って、対象を上から見た画像を生成し、生成した画像中にグラフィックユーザーインターフェース（ＧＵＩ）を用いて文字を記入し、プロジェクタから文字を対象に投影し、その投影した文字をなぞらせるものである。
【先行技術文献】
【非特許文献】
【０００３】
【非特許文献１】中島  聡太  他“プロジェクタを用いた硬筆支援システム”  平成２１年度電子情報通信学会東京支部学生会研究発表会  講演番号：１６１
【発明の概要】
【発明が解決しようとする課題】
【０００４】
しかしながら、プロジェクタで文字を投影した場合、実際に記入する記入者の手の影により投影文字が見えにくくなり、支援機能が低減してしまうという問題がある。
本発明は、上記事情に鑑みてなされたものであって、記入者の影による支援機能の低下を生じることなく、自筆の支援を可能とする自筆支援装置を提供することを目的とする。
【課題を解決するための手段】
【０００５】
本発明の自筆支援装置は、平面状の筆記面を有する筆記媒体の筆記面の上方に、筆記面に表示させる像の鏡像画像を表示する平面状の画像表示面が位置するように画像表示面を有する画像担持体を支持する支持部材と、
筆記面と画像表示面との間に配置される、上方からの光の少なくとも一部を反射し、一部を透過させるハーフミラーとを備え、
画像表示面と筆記面とが、ハーフミラーの平面状のミラー面を挟んで等しい光学距離で配置される自筆支援装置である。【０００６】
ここで、画像表示面と筆記面とが、ミラー面を挟んで等しい光学距離であるとは、ミラー面の任意の点から、この任意の点を通ってミラー面と垂直に交わる垂線の画像表示面との交点までの光学距離と、同一垂線の筆記面との交点までの光学距離とが等しいことを意味する。
画像表示面と筆記面とがミラー面を挟んで等しい光学距離で配置されていれば、筆記面、ミラー面および画像表示面は、互いに平行に配置されていてもよいし、筆記面および画像表示面が、ミラー面に対して対称に傾きを持って配置されていてもよい。【０００７】
筆記面に表示させる像の鏡像画像とは、筆記面に表示させる像を鏡に映した際に鏡面に観察される鏡像を描画した画像である。【０００８】
筆記媒体は、任意の机等の上に載置されればよいが、本発明の自筆支援装置が、筆記媒体を支持する支持台を備えていてもよい。【０００９】
ハーフミラーは、上方からの光の少なくとも一部を反射し、一部を透過させるものであればよく、その反射率は可視域の光に対して１％以上、９９％以下の範囲で、使用者がハーフミラーを見て、画像表示面に表示される鏡像画像の鏡像を視認でき、かつハーフミラーを通して、下方の筆記面を視認できる反射率および透過率を有するものであればよい。これらの条件を満たせば、ミラー面における反射率は必ずしも面全域に亘って均一でなくてもよい。
なお、ハーフミラーのミラー面における、可視域の光に対する反射率は、４％以上８５％以下であることが好ましい。
なお、ここで、可視域とは３８０〜７８０ｎｍの波長範囲である。【００１０】
また、ハーフミラーのミラー面は、可視域の全域に対して上記の反射率を有するものである必要はなく、可視域の特定の部分波長域の光に対して上記の反射率を有するものであってもよい。その場合、ハーフミラーの、可視域における特定の波長域を除く波長域の光に対する反射率は、特定の波長域の光に対する反射率よりも十分小さいものとする。十分小さいとは、ミラー面における特定の波長域の光の反射による像を視認する際に、それ以外の波長域の光の反射による像が視認できない程度である。具体的には、可視域の特定の部分波長域の光に対する反射率が他の波長の光に対する反射率の５倍以上高くなっていればよい。【００１１】
ハーフミラーの、ミラー面と対向する面は反射防止面であることが好ましい。
ここで、反射防止面とは、ミラー面の反射率よりも十分小さい反射率を有するものであることを意味するものとし、反射率を抑制するために誘電体多層膜や微細凹凸構造層などの反射防止構造が付与された面に限るものではない。反射防止面の反射率が十分小さいとは、ミラー面における反射による像を視認する際に、ミラー面に対向する面での反射による像により二重映りしない程度の反射率であることを意味する。【００１２】
画像表示面とミラー面との光学距離、および筆記面とミラー面との光学距離を一致させるための位置調整用マークを備えていることが好ましい。【００１３】
支持部材は、画像担持体を、その画像担持体の画像表示面をハーフミラーに直接対向させて支持するものであってもよいし、透明支持板を備え、その透明支持板の一面に、画像表示面が面するように画像担持体が載置されるものであってもよい。
ここで、画像担持体の画像表示面をハーフミラーに直接対向させるとは、画像表示面とハーフミラーとの間に他の支持板などの部材を介していないことを意味する。【００１４】
画像表示面に照明光を照射して、画像表示面の鏡像画像をミラー面に映す光源を備えていてもよい。【００１５】
画像担持体は、画像表示面を有するものであれば特に制限はなく、例えば、一面に鏡像画像が描かれたシートであってもよいし、鏡像画像を表示するフラットパネルディスプレイであってもよい。
【発明の効果】
【００１６】
本発明の自筆支援装置は、平面状の筆記面を有する筆記媒体の筆記面の上方に、筆記面に表示させる像の鏡像画像を表示する平面状の画像表示面が位置するように画像表示面を有する画像担持体を支持する支持部材と、筆記面と画像表示面との間に配置される、上方からの光の少なくとも一部を反射し、一部を透過させるハーフミラーとを備え、画像表示面と筆記面とが、ハーフミラーの平面状のミラー面を挟んで等しい光学距離で配置できるように構成されており、ハーフミラーの上方から筆記面をみる使用者は、筆記面に鏡像画像の虚像を視認することができ、使用者がその像をなぞる際にも筆記具を持つ手により陰ることなく表示することができる。本発明の自筆支援装置は、非常に簡易な構成であるため、低コストで提供することができ汎用性に優れる。
【図面の簡単な説明】
【００１７】
【図１】本発明の第１の実施形態の自筆支援装置の概略構成を示す斜視図である。
【図２】図１に示す自筆支援装置の概略構成を示す側面図である。
【図３】画像表示面および筆記面に表示される画像を示す模式図である。
【図４】設計変更例の自筆支援装置の概略構成を示す側面図である。
【図５】本発明の第２の実施形態の自筆支援装置の概略構成を示す側面図である。
【図６】本発明の第３の実施形態の自筆支援装置の概略構成を示す側面図である。
【図７】本発明の自筆支援装置における画像表示面、ミラー面および筆記面の配置の他の例を示す模式図である。
【発明を実施するための形態】
【００１８】
以下、本発明の実施の形態について図面を参照して説明する。
図１は、本発明の実施形態の自筆支援装置の概略構成を示す斜視図であり、図２は、本実施形態の自筆支援装置１における筆記面、ミラー面および画像表示面の位置関係を示す側面図である。
図１、図２に示すように、本実施形態の自筆支援装置１は、平面状の筆記面１２を有する筆記媒体１０の筆記面１２の上方に、筆記面１２に表示させる像の鏡像画像を表示する平面状の画像表示面３２が位置するように画像表示面３２を有する画像担持体３０を支持する支持部材４０と、筆記面１２と画像表示面３２との間に配置される、上方からの光の少なくとも一部を反射し、一部を透過させるハーフミラー２０とを備え、画像表示面３２と筆記面１２とが、ハーフミラー２０の平面状のミラー面２２を挟んで等しい光学距離で配置される。
【００１９】
本実施形態においては、自筆支援装置１は、筆記媒体１０が載置される支持台５とその支持台５上にハーフミラー２０および画像担持体３０の支持部材４０を位置させるための支持軸（支持棒）２を備えている。ハーフミラー２０と支持部材４０は支持軸２に沿って上下に移動できるように構成されていることが好ましい。
【００２０】
画像担持体３０の支持部材４０は、画像担持体３０を載置するための支持板４１を備えている。支持板４１は画像担持体３０の画像表示面３２に表示される画像をミラー面２２に写すことができる透明度を有するものであり、ガラスやアクリル等の可視光に透明な透明基板であることが好ましい。ガラスやアクリル板の表面の反射率は４％程度であり、画像表示面の明るさが板を介することにより低減されてしまうため、支持板４１の両面４２、４４（図２参照）は反射防止処理が施されていることが好ましい。支持板４１の両面４２、４４の可視光（３８０〜７８０ｎｍ）に対する反射率は、例えば１％未満であることが好ましい。
【００２１】
本実施形態において、ハーフミラー２０のミラー面２２は、画像担持体３０側の面であり、筆記面１２、ミラー面２２および画像表示面３２は互いに平行に、画像表示面３２とミラー面２２との光学距離ｈ１と、ミラー面２２と筆記面１２との光学距離ｈ２とが等しくなるように位置される。すなわち、ミラー面２２の任意の点Ｏから、この任意の点Ｏを通ってミラー面２２と垂直に交わる垂線の画像表示面３２との交点Ａまでの光学距離ｈ１と、同一垂線の筆記面１２との交点Ｂまでの光学距離ｈ２とが等しい。
【００２２】
本例において、画像表示面３２とミラー面２２との光学距離ｈ１は、支持板４１の厚みｄ１と屈折率ｎ１との積ｎ１・ｄ１と、支持板４１の下面４４とミラー面２２との距離Ｌ１との和すなわち、ｈ１＝ｎ１・ｄ１＋Ｌ１で表される。また、ミラー面２２と筆記面１２との光学距離ｈ２は、ハーフミラー２０の厚みｄ２と屈折率ｎ２との積ｎ２・ｄ２と、ハーフミラー２０の下面２４と筆記面１２との距離Ｌ２との和、すなわち、ｈ２＝ｎ２・ｄ２＋Ｌ２で表される。
【００２３】
上記の光学距離ｈ１とｈ２が等しくなるようにハーフミラー２０の位置および画像担持体３０の位置が調整されることにより、図２に示すように、使用者がハーフミラー２０の上方から筆記面１２を見たときに、画像担持体３０の画像表示面３２に表示された鏡像画像がミラー面２２で反射されて視認される鏡像が筆記面１２に一致して見える。このとき、筆記面１２上に鏡像画像の鏡像が直接投影されているかのように見えるが、実際には、使用者は、ミラー面２２で反射された鏡像画像の鏡像を見ているのであり、画像担持体３０から筆記面１２に像が直接投影されているわけではない。すなわち、使用者は画像表示面３２に表示されている鏡像画像の虚像を筆記面１２に視認している。
なお、以下において、使用者がハーフミラー２０の上方から筆記面１２を見る際の目の位置を観察部と称する。
【００２４】
図３は、左図が画像担持体３０の画像表示面３２に表示された鏡像画像Ａであり、右図が筆記面に重なって視認される鏡像画像Ａの鏡像であり、表示すべき像Ｂである。ここで例示されている像Ｂは、はがきの表書きの住所、宛先等を記載すべき領域のマス目を示している。この表示されたマス目内に文字を書くことにより、整った文字列とすることができる。
【００２５】
ハーフミラー２０は、ミラー面２２とミラー面２２に対向する面２４を備えており、ミラー面２２と対向する面２４が互いに平行に配置された部材である。ハーフミラー２０は、上方からの光の少なくとも一部を反射し、一部を透過させるものであればよく、図２に示すように、観察部から筆記面１２を視認することができ、また、その筆記面１２に、ハーフミラー２０により反射された画像表示面３２に表示される鏡像画像Ａの鏡像（そもそも表示すべき像）Ｂを重ねて視認できる反射率および透過率を有するものであればよい。ハーフミラーの反射率は１％以上９９％以下の範囲で自筆支援装置における光学系の構成により適宜定めればよいが、４％以上８５％以下の範囲とすることがより好ましい。
【００２６】
ハーフミラーのミラー面は、可視域の全域に対して上記反射率を示すものであることが好ましいが、可視域の特定の部分波長域に対して、例えば、画像表示面の表示色が予め定まっている場合には、その表示色の波長域の光に対して上記反射率を示すものであればよい。例えば、画像表示面において青色光で画像表示される場合、ミラー面は青色波長のみを反射するものであってもよい。
【００２７】
ハーフミラー２０のミラー面２２と対向する面２４は、反射防止面とされていることが好ましい。反射防止面の反射率は、観察部から視認されるミラー面に対向する面２４での反射による像が、ミラー面２２での反射による像に二重映りしない程度の反射率であればよく、例えばミラー面２２の反射率の０．１倍未満とする。
【００２８】
反射防止面は、可視域の光に対する反射率が１％未満とすることが好ましく、０．５％以下とすることがより好ましい。このような反射率１％未満となる反射防止面は、誘電多層膜の形成、あるいは微細凹凸構造層の形成などの公知の反射防止処理により得ることができる。
【００２９】
なお、ミラー面２２における反射率、およびミラー面に対向する面２４における反射率は必ずしも面全域に亘って均一でなくてもよい。
【００３０】
さらに、本自筆支援装置１には、画像表示面３２とミラー面２２との光学距離ｈ１、および筆記面１２とミラー面２２との光学距離ｈ２を一致させるために位置調整マークが設けられている。本実施形態の位置調整マーク４５〜４８および１５〜１８が画像表示面３２を含む面上および筆記面１２を含む面上の互いに対応する位置に設けられている。互いに対応する位置とは、画像表示面３２を含む面と筆記面１２を含む面とをそのまま上下方向に移動させて直接重ねたときに互いに一致する位置をいう。本実施形態において画像表示面３２側の位置調整マークは、画像表示面３２が密着される支持部材４０の支持板４１の上面４２に設けられている。支持板４１の上面４２は画像表示面３２と同一面と看做せる。観察部から視認される画像表示面側の位置調整マーク４５〜４８と筆記面側の位置調整マーク１５〜１８がそれぞれ重なったとき、画像表示面３２と筆記面１２およびハーフミラー２０のミラー面２２との関係ｈ１＝ｈ２が満たされていることを意味するので、これを利用して画像表示面３２とハーフミラー２０の位置を調整すればよい。
【００３１】
画像表示面側の位置調整マークは、本実施形態のように支持部材４０の支持板４１の、画像担持体３０の画像表示面３２と同一面となる上面４２に設けられる態様に限るものではなく、画像担持体３０の画像表示面３２自体に鏡像画像と共に表示させてもよい。
また、筆記面１２側の位置調整マーク１５〜１８は、筆記媒体１０が載置される支持台５上に設けられていてもよい。
あるいは、位置調整マーク４５〜４８および１５〜１８が設けられた専用シートを用意し、専用シートを画像表示面３２および筆記面１２に取り付けて調整するようにしてもよい。
【００３２】
なお、位置調整マーク４５〜４８および１５〜１８が設けられていなくても、観察部から、鏡像画像の鏡像が筆記面１２に一致するように観察しながら位置調整を行うこともできる。
【００３３】
画像担持体３０は、一面に鏡像画像を表示するものであれば、特に制限はないが、例えば、一面に鏡像画像が描かれたシートであってもよいし、鏡像画像を表示するフラットパネルディスプレイであってもよい。フラットパネルディスプレイは、別体のコンピュータに無線もしくは有線で接続されたものであってもよいし、タブレット型コンピュータあるいはスマートフォンであってもよい。
【００３４】
筆記面１２に表示させる画像としては、本実施形態においては、手紙やはがきの宛名面（表面）あるいは文面（裏面）のレイアウトやマス目、達筆のナビゲート、お絵かきのフレーム、書類作成ガイドなどが挙げられ、画像担持体３０は、これらの表示させるべき像を鏡に映した際に鏡面に観察される鏡像を描画した画像である鏡像画像を表示する。
【００３５】
本発明の自筆支援装置は、筆記面にレイアウトやマス目を表示することにより、行やマス目のない紙面に整った文字列で記入することができ、手本となる字を表示させることにより、その文字をなぞりバランスのとれた文字を書くために使用することができるほか、お絵かきフレームを表示させ、イラストを書いたり、塗り絵したりするために使用することもできる。
また、本発明の自筆支援装置は、表示された文字や絵をなぞるためのみならず、役所や銀行などにおいて、記入すべき箇所を示す矢印を書類面上に書類作成ガイドとして表示させることにより、書面作成を支援するために用いることもできる。
【００３６】
上記実施形態においては、ハーフミラー２０を、上面がミラー面２２となるように用いたが、ミラー面２２を下面となるように用いてもよい。図４に、下面をミラー面２２とした設計変更例の自筆支援装置の側面図を示す。図１に示す自筆支援装置１と異なるのはハーフミラー２０の上下面が逆になって、すなわち、ハーフミラー２０のミラー面２２が筆記面１２側となっている点である。そして、画像表示面３２とミラー面２２との光学距離ｈ２１と、ミラー面２２と筆記面１２との光学距離ｈ２２とが等しくなるように位置される。
【００３７】
本例において、画像表示面３２とミラー面２２との光学距離ｈ２１は、支持板４１の厚みｄ１と屈折率ｎ１との積ｎ１・ｄ１と、支持板４１の下面４４とハーフミラー２０のミラー面２２と対向する面２４との距離Ｌ１と、ハーフミラー２０の厚みｄ２と屈折率ｎ２との積ｎ２・ｄ２との和、すなわちｈ２１＝ｎ１・ｄ１＋Ｌ１＋ｎ２・ｄ２で表される。そして、ミラー面２２と筆記面１２との光学距離ｈ２２は両者の距離Ｌ２、すなわち、ｈ２２＝Ｌ２で表される。
【００３８】
上記の光学距離ｈ２１とｈ２２が等しくなるようにハーフミラー２０の位置および画像担持体３０の位置が調整されることにより、観察部から画像担持体３０の画像表示面３２に表示された鏡像画像がミラー面２２で反射されて視認される鏡像が筆記面１２に一致して見える。
【００３９】
図５は、本発明の第２の実施形態の自筆支援装置５１の概略構成を示す側面図である。
第２の実施形態の自筆支援装置５１は、第１の実施形態の自筆支援装置１においてさらに、画像表示面３２に照明光を照射して、画像表示面３２の鏡像画像をミラー面２２に映す光源５０を備えている。画像担持体３０が発光表示するものでなく、表面に像が描かれた紙等の担持体である場合に特に、画像表示面３２に照明光を照射することにより、画像をミラー面２２に明るく映すことができる。本例では、シート状の画像担持体３０に対し、画像表示面３２の裏面側から照明光を照射するように構成されているが、画像表示面３２の表面（図中下面）側から照明光を照射するように構成されていてもよい。
【００４０】
さらに、本自筆支援装置５１は、画像表示面３２とミラー面２２との光学距離ｈ１と、筆記面１２とミラー面２２との光学距離ｈ２とを等しい関係に維持したまま、ハーフミラー２０および画像表示面３２を、筆記面１２に対して移動させる移動機構５２を備えている。移動機構５２は、画像表示面３２の移動がミラー面２２の移動の２倍となるように移動させるためのギヤなどを備えた機構である。
【００４１】
図６に、本発明の第３の実施形態の自筆支援装置６０の概略構成を示す側面図である。
第１の実施形態の自筆支援装置１においては、筆記媒体１０を支持する支持台５を備えた構成について説明したが、本実施形態の自筆支援装置６０は、支持台５を備えていない。支持台５を備える代わりに、既存の机に設置するための万力固定部８を支持軸２の底部に備えており、既存の机の天板７を万力で挟み固定することにより、自筆支援装置６０を設置して使用することができる。
【００４２】
また、第１の実施形態の自筆支援装置１においては、支持部材４０が画像担持体３０を載置する支持板４１を備えた構成について説明したが、支持部材４０の構成は画像担持体３０を支持できる形状であれば、特に限定されるものではなく、本実施形態においては、図６に示すように、画像担持体３０として、タブレット型コンピュータやスマートフォンなどのフラットパネルディスプレイをその画像表示面３２が直接ハーフミラー２０に対向するように保持する画像担持体ホルダー５５を備えている。画像担持体ホルダー５５は、図６に示すように、少なくとも一辺に開口を有し、タブレット型コンピュータやスマートフォン等をその開口部からスライド挿入させて、その少なくとも対向する二端を下面から支えるものである。画像担持体ホルダーとしては、フラットパネルディスプレイの少なくとも対向する二端を下面から支える枠部材などであってもよい。
【００４３】
本実施形態のように、画像表示面３２とミラー面２２との間に何も介さない場合にも、画像表示面３２とミラー面２２との光学距離ｈ３１と、ミラー面２２と筆記面１２との光学距離ｈ３２とが等しくなるように位置される。
【００４４】
本例において、画像表示面３２とミラー面２２との光学距離ｈ３１は、画像表示面３２とミラー面２２との距離Ｌ１、すなわちｈ３１＝Ｌ１であり、ミラー面２２と筆記面１２との光学距離ｈ３２は、ハーフミラー２０の厚みｄ２と屈折率ｎ２との積ｎ２・ｄ２と、ミラー面２２と対向する面２４と筆記面１２との距離Ｌ２との和、すなわち、ｈ３２＝ｎ２・ｄ２＋Ｌ２で表される。
【００４５】
上記の光学距離ｈ３１とｈ３２が等しくなるようにハーフミラー２０の位置および画像担持体３０の位置が調整されることにより、観察部から画像担持体３０の画像表示面３２に表示された鏡像画像がミラー面２２で反射されて視認される鏡像が筆記面１２に一致して見える。
【００４６】
画像表示面、ミラー面および筆記面の位置関係は、先の実施形態で示したような互いに平行な構成に限らない。図７は、本発明の自筆支援装置における画像表示面、ミラー面および筆記面の配置の他の例を示す模式図である。
【００４７】
図７においては、画像表示面３２と筆記面１２とがミラー面２２に対して対称に傾きを持って配置されている。但し、画像表示面３２と筆記面１２との対応する位置同士のミラー面２２に対する光学距離が等しくなるように配置されている。画像表示面３２の所定位置と対応する筆記面１２の位置とは、ミラー面２２の任意の点Ｏ１に垂直な１本の垂線Ｋ１が画像表示面３２と交わる点Ａ１に対して、その垂線Ｋ１が筆記面１２と交わる位置Ｂ１である。ミラー面２２の他の任意の点Ｏ２に垂直な垂線Ｋ２が画像表示面３２と交わる点Ａ２に対応する筆記面１２の位置は、その垂線Ｋ２が筆記面１２と交わる点Ｂ２である。画像表示面３２と筆記面１２との対応する位置同士のミラー面２２に対する光学距離が等しい関係にあるとき、Ａ１Ｏ１の光学距離＝Ｂ１Ｏ１の光学距離、Ａ２Ｏ２の光学距離＝Ｂ２Ｏ２の光学距離、である。
【００４８】
図７に示す側面図において、画像表示面３２、筆記面１２およびミラー面２２上の線を延長すると、３つ延長線は一点Ｐで交わる。３つの延長線はこの点Ｐを頂点とした二等辺三角形の等しい二辺６１、６２とその二辺６１、６２によりなされる角を等分する中線６３を構成するものとなる。ここでは、画像表示面３２とミラー面２２との光学距離、および筆記面１２とミラー面２２との光学距離がその距離と等しいとしたときの、それら３つの面の関係を模式的に示している。支持部材の支持板やハーフミラーの厚みが十分に小さければ、支持板やハーフミラーの厚みの光学距離は無視できるが、厳密には支持部材の支持板やハーフミラーの厚み分の光学距離を考慮に入れる必要がある。
【００４９】
本構成においても、観察部から画像担持体３０の画像表示面３２に表示された鏡像画像がミラー面２２で反射されて視認される鏡像が筆記面１２に一致して見える。
【符号の説明】
【００５０】
１、５１、６０    自筆支援装置
２    支持軸
５    支持台
１０    筆記媒体
１２    筆記面
１５、１６、１７、１８  筆記面側の位置調整マーク
２０    ハーフミラー
２２    ミラー面
２４    ハーフミラーの、ミラー面と対向する面
３０    画像担持体
３２    画像表示面
４０    支持部材
４１    支持板
４５、４６、４７、４８  画像表示面側の位置調整マーク
５０    光源
【図１】
2016121362.tif 000003
【図２】
2016121362.tif 000004
【図３】
2016121362.tif 000005
【図４】
2016121362.tif 000006
【図５】
2016121362.tif 000007
【図６】
2016121362.tif 000008
【図７】
2016121362.tif 000009
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
平面状の筆記面を有する筆記媒体の前記筆記面の法線方向の一方の側に、該筆記面に表示させる像の鏡像画像を表示する平面状の画像表示面が位置するように該画像表示面を有する画像担持体を支持する支持部材と、
前記筆記面と前記画像表示面との間に配置される、該画像表示面側からの光の少なくとも一部を反射し、一部を透過させるハーフミラーとを備え、
前記画像表示面と前記筆記面とが、前記ハーフミラーの平面状のミラー面を挟んで等しい光学距離で配置される自筆支援装置。
【請求項２】
前記筆記面、前記ミラー面および前記画像表示面が互いに平行に配置される請求項１記載の自筆支援装置。
【請求項３】
前記筆記面および前記画像表示面が、前記ミラー面に対して対称に傾きを持って配置される請求項１記載の自筆支援装置。
【請求項４】
前記筆記媒体を支持する支持台を備える請求項１から３のいずれか１項に記載の自筆支援装置。
【請求項５】
前記ハーフミラーの前記ミラー面における、可視域の光に対する反射率が４％以上、８５％以下である請求項１から４いずれか１項に記載の自筆支援装置。
【請求項６】
前記ハーフミラーの前記ミラー面の、可視域の特定の部分波長域の光に対する反射率が他の波長の光に対する反射率の５倍以上高い請求項１から５いずれか１項に記載の自筆支援装置。
【請求項７】
前記ハーフミラーの、前記ミラー面と対向する面が反射防止面である請求項１から６いずれか１項に記載の自筆支援装置。
【請求項８】
前記画像表示面と前記ミラー面との光学距離、および前記筆記面と前記ミラー面との光学距離を一致させるための位置調整用マークを備えた請求項１から７いずれか１項に記載の自筆支援装置。
【請求項９】
前記支持部材が、前記画像担持体を、該画像担持体の前記画像表示面を前記ハーフミラーに直接対向させて支持するものである請求項１から８いずれか１項に記載の自筆支援装置。
【請求項１０】
前記支持部材が透明支持板を備えており、該透明支持板の一面に、前記画像表示面が面するように前記画像担持体が載置される請求項１から８いずれか１項に記載の自筆支援装置。
【請求項１１】
前記画像表示面に照明光を照射して、該画像表示面の前記鏡像画像を前記ミラー面に映す光源を備えた請求項１から１０いずれか１項に記載の自筆支援装置。
【請求項１２】
前記画像担持体が、一面に前記鏡像画像が描かれたシートである請求項１から１１いずれか１項に記載の自筆支援装置。
【請求項１３】
前記画像担持体が、前記鏡像画像を表示するフラットパネルディスプレイである請求項１から１０いずれか１項に記載の自筆支援装置。
【国際調査報告】
2016121362.tif 000010
2016121362.tif 000011
2016121362.tif 000012
2016121362.tif 000013